(57)【要約】【課題】  例えば印字等によって計量目盛を容易かつ精度良く施すことができると共に、施された計量目盛が摩耗するのを確実に回避することのできる計量キャップを提供する。【解決手段】  容器本体１２の口首部１１に取り付けられた本体キャップ１３に着脱可能に装着される計量キャップ１０であって、先端の注ぎ口１４を下方に向けて、装着時に本体キャップ１３の内側に先端側が上方から挿入配置される液戻し筒部１５と、この液戻し筒部１５と接続部１７を介して接合一体化される液溜め部１６とを有しており、液戻し筒部１５は接続部１７において液溜め部１６の内側に配置されると共に、液戻し筒部１５の上端周縁部はその少なくとも一部が液溜め部１６の内側面に沿って上方に延設して目盛表示片６１を形成しており、この目盛表示片６１の外周面に計量目盛６０ａが施されて、計量目盛６０ａを透明な液溜め部１６を介して外側から視認できるようになっている。【選択図】      図２
2005112370.tif 000002
【特許請求の範囲】
【請求項１】
容器本体の口首部又は該口首部に取り付けられた本体キャップに着脱可能に装着される計量キャップであって、
先端の注ぎ口を下方に向けて、装着時に前記口首部又は前記本体キャップの内側に少なくとも先端側の一部が上方から挿入配置される液戻し筒部と、該液戻し筒部と接続部を介して接合一体化される液溜め部とを有しており、
前記液戻し筒部は前記接続部において前記液溜め部の内側に配置されると共に、前記液戻し筒部の上端周縁部はその少なくとも一部が前記液溜め部の内側面に沿って上方に延設して目盛表示片を形成しており、
該目盛表示片の外周面に計量目盛が施されて、該計量目盛を透明又は半透明な前記液溜め部を介して外側から視認できるようになっている計量キャップ。
【請求項２】
前記接続部を挟んだ前記目盛表示片と反対側の下方部分の前記液戻し筒部の外周面にも計量目盛が施されている請求項１に記載の計量キャップ。
【請求項３】
前記計量目盛が印字によるものである請求項１又は２に記載の計量キャップ。
【請求項４】
前記目盛表示片の先端が計量目盛となっている請求項１又は２に記載の計量キャップ。
【請求項５】
前記液戻し筒部が有色部分となっている請求項１〜４のいずれかに記載の計量キャップ。
【発明の詳細な説明】
【技術分野】
【０００１】
本発明は、計量キャップに関し、特に容器本体の口首部又は該口首部に取り付けられた本体キャップに着脱可能に装着される計量キャップに関する。
【背景技術】
【０００２】
内容液として例えば液体洗剤、柔軟剤、漂白剤、糊剤等を収容する容器は、これらの内容液を計量しつつ使用される場合があり、計量用のカップ等を別途に用いることが煩わしいことから、キャップとして内容液を計量する機能を備えた計量キャップを、例えば合成樹脂製のボトル容器等の口首部に装着して使用されることになる。計量キャップは、計量目盛を備えていて、内容液の種類や使用量に応じて適量を容易に計量することができるようになっている。また計量目盛は、計量キャップの周壁の外周面に例えばスタンプ印刷を施したり、刻設された凹部にインキを付着させること等によって設けられるのが一般的である。
【０００３】
一方、近年、例えばプラスチック製の容器の再利用を図るために、内溶液の詰め替えや補充を行いつつ、一つの容器を長期に亘って使用する機会が増しており、これに伴って、計量キャップも、容器に対する取り外しや装着を多数回繰り返しつつ、何回も使用されることになる。このため、計量目盛を備える従来の計量キャップによれば、計量目盛が計量キャップの周壁の外周面に施されてていることから、計量キャップの着脱時や使用時に周壁の外周面の計量目盛にも手指が触れることになり、長期に亘って使用されると、摩耗によって計量目盛の印刷が薄くなったり、付着されたインキが剥がれたりすること等によって、内容物の使用量を当該計量目盛を介して正確に計量することが困難になる場合がある。
【０００４】
これに対し、印刷が薄くなったりインキが剥がれたりすることによる計量目盛の摩耗を防止するための手段として、計量目盛を印刷したラベルをインサート成形によりキャップの側周壁の内周面に貼着した注出容器のキャップが開示されている（例えば、特許文献１参照）。
【特許文献１】特開２０００−１４２７４１号公報
【発明の開示】
【発明が解決しようとする課題】
【０００５】
特許文献１に開示されたキャップによれば、計量目盛はキャップの側周壁の内周面に設けられることになり、当該側周壁が介在することによって手指が計量目盛に触れるのを確実に回避できるので、計量目盛の摩耗を効果的に防ぐことが可能であるが、特許文献１に開示されたキャップによれば、インサート成形時に、計量目盛が印刷されたラベルを、巻き付けたり吸着させたりすることによって成形金型に取り付け、当該成形金型を介して計量目盛をキャップの内周面に設けることになるので、成形金型にラベルを精度良く取り付ける必要がある等、印字等をキャップに直接施す場合と比較して、その作業が繁雑になる。
【０００６】
本発明は、例えば印字等によって計量目盛を容易かつ精度良く施すことができると共に、施された計量目盛が摩耗するのを確実に回避することのできる計量キャップを提供することを目的とする。
【課題を解決するための手段】
【０００７】
本発明は、容器本体の口首部又は該口首部に取り付けられた本体キャップに着脱可能に装着される計量キャップであって、先端の注ぎ口を下方に向けて、装着時に前記口首部又は前記本体キャップの内側に少なくとも先端側の一部が上方から挿入配置される液戻し筒部と、該液戻し筒部と接続部を介して接合一体化される液溜め部とを有しており、前記液戻し筒部は前記接続部において前記液溜め部の内側に配置されると共に、前記液戻し筒部の上端周縁部はその少なくとも一部が前記液溜め部の内側面に沿って上方に延設して目盛表示片を形成しており、該目盛表示片の外周面に計量目盛が施されて、該計量目盛を透明又は半透明な前記液溜め部を介して外側から視認できるようになっている計量キャップを提供することにより、上記目的を達成したものである。
【発明の効果】
【０００８】
本発明の計量キャップによれば、例えば印字等によって計量目盛を容易かつ精度良く施すことができると共に、施された計量目盛が摩耗するのを確実に回避することができる。
【発明を実施するための最良の形態】
【０００９】
図１及び図２に示す本発明の好ましい実施形態に係る計量キャップ１０は、例えば内容液として液体洗剤や柔軟剤、漂白剤、糊剤等を収容する合成樹脂製のボトル容器の口首部１１に着脱可能に装着されると共に、計量目盛６０ａ、６０ｂ（図２参照）が設けられていて、適量の液体洗剤等を計量して洗濯機等に投入することのできる機能を備えている。
【００１０】
また、本実施形態によれば、ボトル容器を構成する容器本体１２の上端部から突出して設けられた口首部１１には、液回収用凹部２０を有する本体キャップ１３が取り付けられており、この本体キャップ１３に螺合装着されることにより、計量キャップ１０は、当該本体キャップ１３を介して口首部１１に着脱可能に装着されることになる。なお、本実施形態によれば、口首部１１の内径Ｄ1は、例えばφ３２．０ｍｍとなっている。
【００１１】
そして、本実施形態の計量キャップ１０は、先端の注ぎ口１４を下方に向けて、図１に示す装着時に本体キャップ１３の内側に少なくとも先端側の一部が上方から挿入配置される液戻し筒部１５と、この液戻し筒部１５と接続部１７を介して接合一体化される液溜め部としての液溜め膨出部１６とを有しており、液戻し筒部１５は接続部１７において液溜め膨出部１６の内側に配置されると共に、液戻し筒部１５の上端周縁部はその少なくとも一部（本実施形態では全周）が液溜め膨出部１６の内側面に沿って上方に延設して目盛表示片６１を形成しており、この目盛表示片６１の外周面に第１計量目盛（例えば２０ｍＬ）６０ａが施されて、この第１計量目盛６０ａを透明な液溜め膨出部１６を介して外側から視認できるようになっている。
【００１２】
また、本実施形態によれば、接続部１７を挟んだ目盛表示片６１と反対側の部分の液戻し筒部１５の外周面にも、第２計量目盛（例えば４０ｍＬ）６０ｂが施されている。
【００１３】
本実施形態によれば、口首部１１に取り付けられる本体キャップ１３は、例えば特開２００１−１３９０４９号公報に記載される本体キャップと略同様の構成を有する、例えば射出成形によって形成された合成樹脂製の公知のものであり、注ぎ口１４を下方に向けた状態の計量キャップ１０の液戻し筒部１５を、上方から挿入配置させることのできる大きさの液回収用凹部２０を内側に有している。
【００１４】
また本体キャップ１３は、ボトル容器の口首部１１の外周面を覆って装着されるスカート壁部２２と、スカート壁部２２の天井部２３から上方に突出してスカート壁部２２よりも小さな径で同心状に設けられ、外周面に雄ネジ２５が形成された雄ネジ壁部２４と、雄ネジ壁部２４の下端部から口首部１１の内周面に沿うようにして下方に延設されると共に、斜めに傾斜する底面板２６を有する椀状の受け皿部２７と、この受け皿部２７の中央部分から上方に突出して設けられ、液回収用凹部２０に液戻し筒部１５を挿入配置した計量キャップ１０の装着時に、液戻し筒部１５を経て計量キャップ１０の内側に配置される注出ノズル２１とからなる。
【００１５】
スカート壁部２２は、その下端部内周面に係合用凹凸部２８を有しており、本体キャップ１３をボトル容器の口首部１１に押し込んで、この係合用凹凸部２８を口首部１１の基端部外周面に形成した被係合用凹凸部２９に係止することにより、本体キャップ１３がボトル容器の口首部１１に装着固定される。また、雄ネジ壁部２４の雄ネジ２５には、後述する計量キャップ１０のスカート状の接続雌ネジ壁３０に形成された雌ネジ３１が螺合され、また雄ネジ壁部２４は、受け皿部２７と共にその内側に液回収用凹部２０を形成する。
【００１６】
受け皿部２７は、ボトル容器の口首部１１の内側に挿入配置される椀状部分であって、これの斜めに傾斜する底面板２６には、その最も低い部分に位置して液戻し開口３２が形成されている。そして計量キャップ１０を再装着した際に、計量キャップ１０から液回収用凹部２０に回収された余剰液を、この液戻し開口３２を介して容器本体１２の内部に戻すことができるようになっている。また、底面板２６の周縁部分から離れた中央部分には、当該底面板２６から雄ネジ壁部２４の上方まで突出させて注出ノズル２１が設けられている。注出ノズル２１は、その基端部において底面板２６に開口形成した流出開口３３と連通しており、計量キャップ１０の注ぎ口１４よりも断面形状が小さくなった先端注出口３４を介して、計量キャップ１０に液体洗剤をスムーズに注出することができるようになっている。
【００１７】
本実施形態によれば、本体キャップ１３を介して口首部１１に装着される計量キャップ１０は、例えば透明な合成樹脂を射出成形することにより、液戻し筒部１５を有する下方部材１８と、液溜め膨出部１６を有する上方部材１９とからなる２パーツの２部品として各々成形されることになる（図２参照）。下方部材１８及び上方部材１９を２部品として成形することにより、接続雌ネジ壁３０を連接した液戻し筒部１５と、接合スカート部４０を連接した液溜め膨出部１６とを成形する際に、各々、射出成形時に金型を抜き易い形状を保持することが可能になり、下方部材１８及び上方部材１９を容易に形成することが可能になる。
【００１８】
また、上述のように別々に形成された下方部材１８及び上方部材１９は、下方部材１８の液戻し筒部１５における上端開口を覆うようにしつつ、上方部材１９の嵌合凹部５２と下方部材１８の嵌合凸部５３とによる周縁シール接合手段５１により下方部材１８と上方部材１９とを接合一体化することによって、液戻し筒部１５と、これの上方に配置される液溜め膨出部１６とを備える計量キャップ１０が形成されることになる。
【００１９】
下方部材１８を構成する液戻し筒部１５は、先端部分の最小内径Ｄ2が例えばφ２６．６ｍｍの略切頭円錐形状の筒状部分である注ぎ口部１５ａと、この注ぎ口部１５ａの基端部から接続部１７に沿って配置されるスリーブ部１５ｂとからなる。注ぎ口部１５ａは、接続リング帯４４の下面が本体キャップ１３の雄ネジ壁部２４の上端に当接するまで計量キャップ１０を螺合装着した際に、先端の注ぎ口１４が受け皿部２７の底面板２６の近くに配置される長さで設けられている（図１参照）。また、計量キャップ１０が本体キャップ１３に螺合装着された際に、注ぎ口１４の開口周縁部分は、液回収用凹部２０の下部において受け皿部２７の内周面に形成された当接段差部３６と密着当接するようになっており、これによって、収容された液体洗剤等が、液戻し筒部１５の外側の液回収用凹部２０との間の隙間に回り込むのを防止するシール機能を、効果的に発揮するようになっている。さらに、本実施形態によれば、注ぎ口部１５ａの外周面には、例えば４０ｍＬの内容液を計量させる第２計量目盛６０ｂが、例えば加熱印刷であるいわゆるホットスタンプや、インクジェツト印刷ヘツド、平版・凹版オフセット用ブランケット胴、ゴム版など単色又は多色印字ヘッド等の各種の印刷装置の印字ヘッドを用いて、予め定められた位置に印字されている。なお、ＵＶインキを用いて印字を行えば、耐内容物性に優れることになって、印字された計量目盛６０ｂがさらに消え難くなる。
【００２０】
なお、本実施形態によれば、注ぎ口１４の先端の開口周縁部分は、外側に折り返すように湾曲するラッパ口形状を備えている。すなわち、本実施形態によれば、接合一体化される下方部材１８及び上方部材１９は、上述のように射出成形時に金型を抜き易い形状となっているため、このようなラッパ口形状を注ぎ口１４の開口周縁部分に容易に設けることが可能になる。また注ぎ口１４の先端の開口周縁部分がラッパ口形状となっていることにより、計量キャップ１０から液体洗剤等を注ぎ出した後の開口周縁部分における液切れが確実かつ容易に行われることになり、これによって液体洗剤等の回り込みをさらに効果的に回避することが可能になると共に、周辺部分を汚損することもない。さらに、汚れなどの付着した部分には塗布しやすくなり、必要な箇所に適量塗布することができる。
【００２１】
また、液戻し筒部１５の注ぎ口部１５ａの接続リング帯４４に近接する基端部分は、その外周面が、計量キャップ１０の装着時に液回収用凹部２０の上端部内周面と密着する上方シール面３７を構成している。この上方シール面３７と接続雌ネジ壁３０の内側面との間に本体キャップ１３の雄ネジ壁部２４の上端部を挟み込みようにしつつ、計量キャップ１０が本体キャップ１３に装着されることになる。
【００２２】
さらに、下方部材１８は、液戻し筒部１５の注ぎ口部１５ａの基端部分から外側に張り出して連接する接続リング帯４４と、この接続リング帯４４の外周縁部から垂下されて液戻し筒部１５と同心状に配置され、内周面に雌ネジ３１を有するスカート状の接続雌ネジ壁３０と、接続雌ネジ壁３０の上方に連続して接続リング帯４４から突出して配置される、周縁シール接合手段５１を構成する環状突条による嵌合凸部５３とを有している。この嵌合凸部５３は、液溜め膨出部１６の嵌合凹部５２に、凹凸面を介在させつつ嵌合されて周縁シール接合手段５１による接合部１７を形成することにより、液戻し筒部１５と液溜め膨出部１６とが強固に接合一体化されることになる。
【００２３】
そして、本実施形態によれば、図１及び図３に示すように、周縁シール接合手段５１による接合部１７において、液戻し筒部１５の上端部分のスリーブ部１５ｂは、液溜め膨出部１６の下端部分の内側に配置されると共に、液戻し筒部１６の上端周縁部は液溜め膨出部１６の内側面に沿って上方に延設して目盛表示片６１を形成している。この目盛表示片６１の外周面には、例えば２０ｍＬの内容液を計量させる第１計量目盛６０ａが、例えば加熱印刷であるいわゆるホットスタンプや、インクジェツト印刷ヘツド、平版・凹版オフセット用ブランケット胴、ゴム版など単色又は多色印字ヘッド等の各種の印刷装置の印字ヘッドを用いて、予め定められた位置に印字されている（図２参照）。なお、ＵＶインキを用いて印字を行えば、耐内容物性に優れることになって、印字された計量目盛６０ａがさらに消え難くなる。また、このようにして目盛表示片６０の外周面に施された第１計量目盛６０ａは、下方部材１８と上方部材１９とを接合一体化した際に、液溜め膨出部１６の下端部内側面によって外側を覆われるようにして配置され、且つ透明な液溜め膨出部１６を介して当該第１計量目盛６０ａを外側から容易に視認することができるようになっている。
【００２４】
さらに、本実施形態によれば、目盛表示片６１の内側面には、例えば外周面に印字された第１計量目盛６０ａの目盛線と合致する位置に、表示片段差部６２が設けられている。表示片段差部６２が目盛線と同じ高さに設けられていることにより、第１計量目盛６０ａの目盛線をさらに容易に視認することが可能になると共に、当該目盛線を印字する際の印字位置のずれを、容易に確認することが可能になる。さらにまた、目盛表示片６１の上端部外側に突出して、密着環状突部６３が設けられており、この密着環状突部６３が液溜め膨出部１６の内側面に押しつけられるように密着することにより、液溜め膨出部１６と目盛表示片６１及びスリーブ部１５ｂとの間の隙間に計量される内容液が侵入するのを防止するシール機能が発揮されることになる。
【００２５】
なお、本発明によれば、目盛表示片６１の先端の位置を、計量すべき所望の容量の計量線の位置となるように設定して、目盛表示片６１の先端を計量目盛りとして用いることができる。この際には、目盛表示片６１の先端に例えば有色の印刷を施しておくことにより、当該先端を計量線として容易に視認することが可能になる。また上述のように目盛表示片６１の上端部外側に密着環状突部６３が設けらていることにより、目盛表示片６１の先端をさらに容易に視認することが可能になる。
【００２６】
本実施形態によれば、嵌合凸部５３は、その外周面が接続雌ネジ壁３０の外周面と連続するように立設しており、これらの連続する外周面によって形成される下方部材１８の上部外周面３９が、上方部材１９の下部に設けられた接合スカート部４０の内側に填め込まれることにより、下方部材１８と上方部材１９とが強固に接合一体化されることになる。また、上部外周面３９には、上下方向に延設する帯状係止凸部４１が、周方向に間隔をおいて複数設けられている。上方部材１９の接合スカート部４０の内側面に上下方向に延設して複数設けた帯状係止凹部４２（図２参照）を、これらの帯状係止凸部４１に各々係止しつつ上方部材１９を下方部材１８に装着一体化することにより、上方部材１９の下方部材１８に対する周方向への相対的な回転移動を、効果的に回避することが可能になる。
【００２７】
上方部材１９は、その胴部の内径Ｄ3が例えばφ３６．０ｍｍとなった略有底円筒形状を備える液溜め膨出部１６と、図１に示す装着時において、液溜め膨出部１６の下端部に設けらた嵌合凹部５２を構成する外側の環状突壁５２ａから連続して下方に垂下されて当該環状突壁５２ａの略全周に亘って設けられた、液溜め膨出部１６よりも内径を僅かに拡径させて延設された接合スカート部４０とからなる。
【００２８】
液溜め膨出部１６は、主として計量される液体洗剤等を貯留する部分であって、その内径Ｄ3が、液戻し筒部１５の注ぎ口部１５ａの内径Ｄ2よりも大きくなっており、且つ上方から見て本体キャップ１３のスカート壁部２２によって囲まれる領域内に納まる大きさの外径となるように形成されている。また、液溜め膨出部１６は、接続部１７の接続リング帯４４からの高さＨが例えば３２．０ｍｍとなっており、当該高さＨが液溜め膨出部１６の内径Ｄ3よりも小さくなった、扁平で安定した外観形状を有している。さらに、液溜め膨出部１６には、その外周面に、計量キャップ１０の着脱操作の際のすべり止め用のローレット加工６４が施されていると共に、目盛表示片６１に描かれた第１計量目盛６０ａを覆う部分の液溜め膨出部１６は、ローレット加工６４が施されることなくその内側面及び外側面が双方共に平滑面となっていて、液溜め膨出部１６の外側から第１計量目盛６０ａを明瞭に視認できるようになっている。
【００２９】
本実施形態によれば、目盛表示片６１と重なり合う液溜め膨出部１６の下端部分の内側面には、上方部材１９と下方部材１８とが接合一体化された際に第１計量目盛６０ａの目盛線及び表示片段差部６２と合致する高さ位置に、膨出部段差部６５が設けられている。膨出部段差部６５が目盛線と同じ高さに設けられていることにより、第１計量目盛６０ａの目盛線をさらに容易に視認することが可能になる。また液溜め膨出部１６の外周面に施されたローレット加工６４は、その下端が、上方部材１９と下方部材１８とが接合一体化された際に目盛表示片６１の先端と合致する位置にしか形成されておらず、これによって、目盛表示片６１の先端を計量線とした場合に、ローレット加工６４の下端の境界線を介して、目盛表示片６１による計量線をさらに容易に視認することが可能になる。さらに、目盛表示片６１と重なる部分にはローレット加工６４が施されていないことにより、当該重なる部分の液溜め膨出部１６の肉厚を実質的に厚くして、上方部材１９と下方部材１８との接合強度を高めることが可能になる。
【００３０】
液溜め膨出部１６の下端部に設けられて、下方部材１８の嵌合凸部５３と共に周縁シール接合手段５１を構成する嵌合凹部５２は、当該下端部において外側の環状突壁５２ａと内側の環状突壁５２ｂとの間に挟まれた凹状部分として形成されている。ここで、内側の環状突壁５２ｂは、液溜め膨出部１６と略同径で下方に延設する環状突壁であり、外側の環状突条５２ａは、内側の環状突壁５２ｂとの間に例えば１．５ｍｍ程度の間隔をおいて、内側の環状突壁５２ｂよりも径の大きな同心状に配置されて下方に延設する環状突壁である。そして、上方部材１９によって下方部材１８の上端開口を覆うようにして液溜め膨出部１６を液戻し筒部１５に接合一体化する際に、嵌合凸部５３は、一対の環状突壁５２ａ，５２ｂの間を押し広げるようにしつつ嵌合凹部５２に密着嵌合することにより、強固なシール性能を発揮する周縁シール接合手段５１が得られることになる。
【００３１】
接合スカート部４０は、液溜め膨出部１６の下方に配置されて下方部材１８の上部外周面３９を内挿嵌合するスカート状の部分であって、帯状係止凸部４１を帯状係止凹部４２に係止しつつ上部外周面３９を内側に填め込むようにして、下方部材１８と上方部材１９とを接合一体化させる。また接合スカート部４０の下端内側面には、下端固定リブ４３が内側に突出して設けられており、接合スカート部４０の下端開口の弾性変形を介して、填め込まれた下方部材１８の接続雌ネジ壁３０の下端縁部にこの下端固定リブ４３を係止固定することにより、嵌合凹部５２に嵌合凸部５３を密着嵌合させた状態で、上方部材１９と下方部材１８とが強固に接合一体化されることになる。
【００３２】
なお、接合スカート部４０の下端固定リブ４３を接続雌ネジ壁３０の下端縁部に係止固定することによる上方部材１９と下方部材１８との接合一体化は、その係合を強固にしたり、係止させた後に固着する等によって、接合一体化された状態が外れないようにすることもできるが、計量キャップ１０を容器本体１２に装着した後も、当該係止状態を着脱可能に解除すると共に液溜め膨出部１６を取り外して、接続部１７の上方を開放可能にすることもできる。これによって、容器本体１２の内部に収容された内溶液が減少した場合に、計量キャップ１０を取り付けたままの状態で接続部１７の上方から内溶液を容易に補充することが可能になり、且つ接続部１７による補充口の内径が、容器本体１２の口首部１１の内径Ｄ1よりも大きくなって、このような補充作業をよりスムーズに行うことが可能になる。
【００３３】
そして、上記構成を有する本実施形態の計量キャップ１０によれば、例えばホットスタンプ等による印字によって第１計量目盛６０ａを容易かつ精度良く施すことができると共に、施された第１計量目盛６０ａが摩耗するのを確実に回避することができる。すなわち、本実施形態によれば、液戻し筒部１５を有する下方部材１８と液溜め膨出部１６を有する上方部材１９とを、接続部１７を介して接合一体化するのに先立って、第１計量目盛６０ａを、液戻し筒部１５の上端周縁部から上方に延設する目盛表示片６１に対してこれの外周面に印字することが可能なので、当該目盛表示片６１の内径が液戻し筒部１５の注ぎ口１４の内径よりも大きい場合であっても、また印字される位置が接続部１７に近接する部分であっても、注ぎ口１４とは反対側の開口からホットスタンプ用抑え治具を挿入しつつ支持させて、印字作業を容易且つ精度良く行うことができる。また、目盛表示片６１に印字された第１計量目盛６０ａは、液戻し筒部１５と液溜め膨出部１６とが接合一体化されて計量キャップ１０が形成された際には、目盛表示片６１と密着する液溜め膨出部１６の内側面によって外側が覆われることにより強固に防護されるので、計量キャップ１０の着脱時や使用時に第１計量目盛６０ａに手指が触れるの確実に遮断して、第１計量目盛６０ａが傷や擦れ等によって摩耗するのを効果的に回避することが可能になる。
【００３４】
また、本実施形態によれば、液戻し筒部１５の目盛表示片６１に施された第１計量目盛６０ａに加えて、液戻し筒部１５の注ぎ口部１５ａの外周面には、例えば４０ｍＬの内容液を計量させる第２計量目盛６０ｂが施されているが、このような第２計量目盛６０ｂの印字も、例えば注ぎ口１４とは反対側の開口からホットスタンプ用抑え治具を挿入しつつ容易且つ精度良く行うことができると共に、第１計量目盛６０ａ及び第２計量目盛６０ｂの双方が、一部品である液戻し筒部１５（下方部材１８）に対して施されていることにより、複数の計量目盛を別部品に施す場合に用いる位置決め組込み機等の特別の装置を要することなく、双方の第１計量目盛６０ａ，６０ｂを、互いの位置関係を考慮しつつ所定の位置に容易且つ精度良く施すことが可能になる。なお、第２計量目盛６０ｂは、液戻し筒部１５の注ぎ口部１５ａの外周面に覆われることなく表出していることになるが、注ぎ口部１５ａの外周面は、本来手指が触れられる部分ではないと共に、計量キャップ１０の本体キャップ１３への装着時には、周囲が本体キャップ１３によってカバーされることになって、第２計量目盛６０ｂの摩耗が回避されることになる。
【００３５】
さらに、本実施形態によれば、液戻し筒部１５の上端周縁部から上方に延設する目盛表示片６１は、液溜め膨出部１６の下端部内側面と接触して、当該内側面に沿って相当の長さで設けられることになるので、液溜め膨出部１６の下端部を内側から効果的に支持することになり、液戻し筒部１５と液溜め膨出部１６とが接合一体化した状態を補強して、例えば液溜め膨出部１６に横方向の荷重が加わった際に、下方部材１８と上方部材１９とが外れ易くなるのを、効果的に回避することが可能になる。
【００３６】
なお、本発明は上記実施形態に限定されることなく種々の変更が可能である。例えば、本発明の計量キャップは、本体キャップを介して容器本体の口首部に装着されるものである必要は必ずしもなく、容器本体の口首部に直接装着されるものであっても良い。また計量キャップの液戻し筒部や液溜め部は円形断面のものである必要は必ずしもなく、雄ネジや雌ネジを介して本体キャップ等に螺合装着されるものである必要は必ずしもない。さらに、容器本体に収容される内容液は、液体洗剤、柔軟剤、糊剤等の他、計量を必要とするその他の種々の液体製品であっても良い。
【００３７】
また、液戻し筒部の上端周縁部から上方に延設する目盛表示片は、当該上端周縁部の全周に設けられる必要は必ずしもなく、液溜め部の外側から視認できる部位において、その一部に又は断続的に設けられていても良い。さらにまた、液溜め部は注ぎ口よりも内径の大きな膨出部である必要は必ずしもなく、注ぎ口と同径やこれよりも小さい内径の液溜め部であっても良い。
【００３８】
そして、目盛表示片の外周面に施される計量目盛は、印字によるものである必要は必ずしもなく、例えば目盛を印刷したラベルを貼着するものであっても良い。また、例えば目盛表示片に着色等を施すことによって目盛表示片自体の外周面を液溜め部の外側から容易に視認できるようにして、当該目盛表示片に計量目盛としての機能を持たせるようにすることもできる。さらに、液戻し筒部を有色部分とすることにより、計量目盛の視認のし易さを向上させることができる。さらにまた、液溜め部は、透明であることが好ましいが、印字等による目盛線や内容液のメニスカスが視認可能な範囲で、半透明のものであっても良い。
【００３９】
また、本発明によれば、液戻し筒部と液溜め部とは、互いに独立した２部品として形成される必要は必ずしもなく、例えばヒンジ接合部等を介して連結する上方部材と下方部材とからなる１部品の部材として形成しても良い。例えば図４に示すように、液溜め膨出部１６を有する上方部材１９を、ヒンジ接合部５０を介して液戻し筒部１５を有する下方部材１８と連結し、ヒンジ接合部５０が開いた状態で成形した後に、例えば上方部材１９をンジ接合部５０を中心に回動して、液戻し筒部１５を有する下方部材１８と接合一体化されるものであっても良い。ここで、ヒンジ接合部５０は、例えば液戻し筒部１５を有する下方部材１８と、液溜め膨出部１６を有する上方部材１９とを、射出成形によって形成する際に、例えば接合スカート部４０を設けない部分において、下方部材１８の周縁部と上方部材１９の周縁部とを周方向の幅が例えば１．５〜５ｍｍ程度の帯状部分５４で連結接合すると共に、この帯状部分５４の中央に半切れ線等による折れ癖線を形成し、この折れ癖線を中心に、上方部材１９を下方部材１８に対して回動できるようにすることによって構成されている。
【図面の簡単な説明】
【００４０】
【図１】本発明の一実施形態に係る計量キャップを説明する、容器本体の口首部への装着状態を示す断面図である。
【図２】本発明の一実施形態に係る計量キャップを説明する、下方部材の左半分の部分のみを側面図として示す分解側断面図である。
【図３】目盛表示片が上方に延設する部分及び接続を拡大して示す断面図である。
【図４】本発明の計量キャップの他の実施態様を説明する、下方部材の左半分の部分のみを側面図として示す断面図である。
【符号の説明】
【００４１】
１０  計量キャップ
１１  口首部
１２  容器本体
１３  本体キャップ
１４  注ぎ口
１５  液戻し筒部
１６  液溜め膨出部（液溜め部）
１７  接続部
１８  下方部材
１９  上方部材
３０  接続雌ネジ壁
４０  接合スカート部
４４  接続リング帯
５０  ヒンジ接合部
５１  周縁シール接合手段
６０ａ  第１計量目盛
６０ｂ  第２計量目盛
６１  目盛表示片
６２  表示片段差部
６３  密着環状突部
６４  ローレット加工
６５  膨出部段差部
【図１】
2005112370.tif 000003
【図２】
2005112370.tif 000004
【図３】
2005112370.tif 000005
【図４】
2005112370.tif 000006